(57)【要約】【課題】ロスプリントの発生を抑制し、写真プリントの注文処理の迅速化を図ることができる受付端末及びファイル編集プログラム並びに注文処理方法の提供。【解決手段】受付端末に、画像ファイルを読み取るファイル読み取り手段１５と、画像ファイルに基づく画像から日付を抽出する日付抽出手段１７と、プリント対象となる画像ファイルの内、画像に既に日付が書き込まれている特定の画像ファイルの所定の記述場所又は注文情報ファイル中の特定の画像ファイルに対応する所定の記述場所の少なくとも一方に、該特定の画像ファイルに基づく画像上に日付が書き込まれないようにする処理を行うファイル編集手段１８と、プリント対象となる全ての画像ファイルに基づく画像に既に日付が書き込まれている場合に、日付有り／無し選択画面を表示手段に表示させない制御などを行う表示制御手段１９とを少なくとも備える。【選択図】図４
2006107163.tif 000002
【特許請求の範囲】
【請求項１】
デジタルカメラ又はデジタルカメラ用メディアから、少なくとも画像ファイルを読み取るファイル読み取り手段と、
前記画像ファイルを用いて作成される写真プリントに該画像ファイルに対応付けられた日付を書き込むか否かを選択させるための選択画面を表示手段に表示させる表示制御手段と、を少なくとも備える注文端末において、
前記画像ファイルに基づく画像から日付を抽出する日付抽出手段と、
前記選択画面で日付を書き込む選択がされた場合であって、前記日付抽出手段による抽出の結果、前記写真プリントの作成対象となる前記画像ファイルの内、いずれかの画像ファイルの画像上に既に日付が書き込まれている場合に、日付が書き込まれている特定の画像ファイルの所定の記述場所、又は、前記画像ファイルに付帯された注文情報ファイル中の前記特定の画像ファイルに対応する所定の記述場所の少なくとも一方に、前記特定の画像ファイルに基づく画像に日付が書き込まれないようにする処理を行うファイル編集手段と、を少なくとも備えることを特徴とする注文端末。
【請求項２】
前記日付が書き込まれないようにする処理とは、前記特定の画像ファイルに日付を書き込まない設定であることを示す情報を書き込む処理、前記特定の画像ファイルの日付情報記述場所から日付情報を削除する処理、前記注文情報ファイル中の前記特定の画像ファイルに対応する日付情報記述場所に空欄の日付情報を書き込む処理、又は、前記注文情報ファイル中の前記特定の画像ファイルに対応する日付情報記述場所から日付情報を削除する処理のいずれかを含むことを特徴とする請求項１記載の注文端末。
【請求項３】
デジタルカメラ又はデジタルカメラ用メディアから、少なくとも画像ファイルを読み取るファイル読み取り手段と、
前記画像ファイルを用いて作成される写真プリントに該画像ファイルに対応付けられた日付を書き込むか否かを選択させるための選択画面を表示手段に表示させる表示制御手段と、を少なくとも備える注文端末において、
前記画像ファイルに基づく画像から日付を抽出する日付抽出手段を少なくとも備え、
前記表示制御手段では、前記日付抽出手段による抽出の結果、前記写真プリントの作成対象となる全ての前記画像ファイルの画像上に既に日付が書き込まれている場合には、前記選択画面を前記表示手段に表示させない制御を行うことを特徴とする注文端末。
【請求項４】
前記注文情報ファイルはＤＰＯＦファイルであることを特徴とする請求項１乃至３のいずれか一に記載の注文端末。
【請求項５】
前記画像ファイルはＥＸＩＦ形式のファイルであることを特徴とする請求項１乃至３のいずれか一に記載の注文端末。
【請求項６】
コンピュータを、
デジタルカメラ又はデジタルカメラ用メディアから読み取った画像ファイルを用いて作成される写真プリントに、該画像ファイルに対応付けられた日付を書き込むか否かを選択させるための選択画面において、日付を書き込む選択がされた場合であって、前記写真プリントの作成対象となる前記画像ファイルの内、いずれかの画像ファイルの画像上に既に日付が書き込まれている場合に、日付が書き込まれている特定の画像ファイルの所定の記述場所、又は、前記画像ファイルに付帯された注文情報ファイル中の前記特定の画像ファイルに対応する所定の記述場所の少なくとも一方に、前記特定の画像ファイルに基づく画像に日付が書き込まれないようにする処理を行うファイル編集手段、として機能させることを特徴とするファイル編集プログラム。
【請求項７】
前記日付が書き込まれないようにする処理とは、前記特定の画像ファイルに日付を書き込まない設定であることを示す情報を書き込む処理、前記特定の画像ファイルの日付情報記述場所から日付情報を削除する処理、前記注文情報ファイル中の前記特定の画像ファイルに対応する日付情報記述場所に空欄の日付情報を書き込む処理、又は、前記注文情報ファイル中の前記特定の画像ファイルに対応する日付情報記述場所から日付情報を削除する処理のいずれかを含むことを特徴とする請求項６記載のファイル編集プログラム。
【請求項８】
前記注文情報ファイルはＤＰＯＦファイルであることを特徴とする請求項６又は７に記載のファイル編集プログラム。
【請求項９】
前記画像ファイルはＥＸＩＦ形式のファイルであることを特徴とする請求項６又は７に記載のファイル編集プログラム。
【請求項１０】
デジタルカメラ又はデジタルカメラ用メディアから、少なくとも前記画像ファイルを読み取るステップと、
前記画像ファイルに基づく画像から日付を抽出するステップと、
前記画像ファイルを用いて作成される写真プリントに該画像ファイルに対応付けられた日付を書き込むか否かを選択させるための選択画面を表示手段に表示させるステップと、
前記選択画面において、日付を書き込む選択がされた場合であって、前記日付を抽出するステップによる抽出の結果、前記写真プリントの作成対象となる前記画像ファイルの内、いずれかの画像ファイルの画像上に既に日付が書き込まれている場合に、日付が書き込まれている特定の画像ファイルの所定の記述場所、又は、前記画像ファイルに付帯された注文情報ファイル中の前記特定の画像ファイルに対応する所定の記述場所の少なくとも一方に、前記特定の画像ファイルに基づく画像に日付が書き込まれないようにする処理を行うステップと、を少なくとも有することを特徴とする注文処理方法。
【請求項１１】
前記日付が書き込まれないようにする処理とは、前記特定の画像ファイルに日付を書き込まない設定であることを示す情報を書き込む処理、前記特定の画像ファイルの日付情報記述場所から日付情報を削除する処理、前記注文情報ファイル中の前記特定の画像ファイルに対応する日付情報記述場所に空欄の日付情報を書き込む処理、又は、前記注文情報ファイル中の前記特定の画像ファイルに対応する日付情報記述場所から日付情報を削除する処理のいずれかを含むことを特徴とする請求項１０記載の注文処理方法。
【請求項１２】
デジタルカメラ又はデジタルカメラ用メディアから、少なくとも前記画像ファイルを読み取るステップと、
前記画像ファイルに基づく画像から日付を抽出するステップと、
前記日付を抽出するステップによる抽出の結果、前記写真プリントの作成対象となるいずれかの前記画像ファイルに基づく画像に日付が書き込まれていない場合には、前記画像ファイルを用いて作成される前記写真プリントに該画像ファイルに対応付けられた日付を書き込むか否かを選択させるための選択画面を表示手段に表示させ、前記写真プリントの作成対象となる全ての前記画像ファイルの画像上に既に日付が書き込まれている場合には、前記選択画面を前記表示手段に表示させないステップと、を少なくとも有することを特徴とする注文処理方法。
【請求項１３】
前記注文情報ファイルはＤＰＯＦファイルであることを特徴とする請求項１０乃至１２のいずれか一に記載の注文処理方法。
【請求項１４】
前記画像ファイルはＥＸＩＦ形式のファイルであることを特徴とする請求項１０乃至１２のいずれか一に記載の注文処理方法。
【発明の詳細な説明】
【技術分野】
【０００１】
本発明は、受付端末及びファイル編集プログラム並びに注文処理方法に関する。
【背景技術】
【０００２】
近年、写真に関連する様々なサービスが提供されるようになってきている。例えば、ユーザがデジタルカメラで写真を撮影し、画像ファイルが記録されたデジタルカメラやデジタルカメラ用メディアをミニラボ等の写真店に持ち込むと、写真店では受付端末を用いてデジタルカメラやメディアから画像ファイルを読み取り、読み取った画像ファイルを用いて高精細な写真プリントを作成したり、該画像ファイルをＣＤ−Ｒなどの記録媒体に書き込むなどの処理を行う。また、店舗内に設置されたキオスク（無人端末）を用いれば、上記写真プリントの作成や記録媒体への書き込みなどの処理をユーザ自身で行うこともできる（上記無人端末に関しては、例えば、下記特許文献１参照）。
【０００３】
【特許文献１】特開平１１−８８１７号公報（第３−４頁、第１図）
【発明の開示】
【発明が解決しようとする課題】
【０００４】
デジタルカメラで得られる画像ファイルがＥＸＩＦ形式のファイルの場合は、ＥＸＩＦ情報の中に写真撮影の日付情報を記録することができ、また、デジタルカメラでプリント注文などに関する情報（いわゆるＤＰＯＦ情報）が記述されたファイルを作成すれば、ＤＰＯＦ情報の中に写真撮影の日付情報を記録することができる。そこで、写真プリントの注文時に写真プリントに日付を書き込む指示をすれば、写真店では指示に応じてプリンタを設定して、ＥＸＩＦ情報又はＤＰＯＦ情報の中から日付情報を読み取って写真プリントに日付を書き込む処理を行う。また、プリンタの設定の手間を省き、設定ミスをなくすために、受付端末や無人端末のモニタに日付有り／無しを選択させる画面を表示させ、ユーザが選択した結果を注文情報ファイルに書き込み、該注文情報ファイルによってプリンタを自動的に制御することもできる。
【０００５】
しかしながら、受付端末や無人端末で日付有り／無しを選択する場合、ユーザの希望通りに写真プリントが作成されない場合もある。例えば、デジタルカメラでは、予め写真の中に日付を書き込むことができるが、受付端末や無人端末、プリンタでは画像ファイルの画像中に日付が書き込まれているか否かは判断しないため、既に日付が書き込まれている画像ファイルに対して更に日付有りを選択すると日付が重複して書き込まれてしまい、ロスプリントが発生してしまう。また、上記理由により画像ファイルの画像中に既に日付が書き込まれている場合は日付無ししか選択することができないが、その場合でも日付有り／無し選択画面が表示されてしまうため、無駄な操作が生じてしまい注文処理の迅速化を図ることができないという問題もある。
【０００６】
本発明は、上記問題点に鑑みてなされたものであって、その主たる目的は、ロスプリントの発生を抑制し、写真プリントの注文処理の迅速化を図ることができる受付端末及びファイル編集プログラム並びに注文処理方法を提供することにある。
【課題を解決するための手段】
【０００７】
上記目的を達成するため、本発明の注文端末は、デジタルカメラ又はデジタルカメラ用メディアから、少なくとも画像ファイルを読み取るファイル読み取り手段と、前記画像ファイルを用いて作成される写真プリントに該画像ファイルに対応付けられた日付を書き込むか否かを選択させるための選択画面を表示手段に表示させる表示制御手段と、を少なくとも備える注文端末において、前記画像ファイルに基づく画像から日付を抽出する日付抽出手段と、前記選択画面で日付を書き込む選択がされた場合であって、前記日付抽出手段による抽出の結果、前記写真プリントの作成対象となる前記画像ファイルの内、いずれかの画像ファイルの画像上に既に日付が書き込まれている場合に、日付が書き込まれている特定の画像ファイルの所定の記述場所、又は、前記画像ファイルに付帯された注文情報ファイル中の前記特定の画像ファイルに対応する所定の記述場所の少なくとも一方に、前記特定の画像ファイルに基づく画像に日付が書き込まれないようにする処理を行うファイル編集手段と、を少なくとも備えるものであり、前記日付が書き込まれないようにする処理とは、前記特定の画像ファイルに日付を書き込まない設定であることを示す情報を書き込む処理、前記特定の画像ファイルの日付情報記述場所から日付情報を削除する処理、前記注文情報ファイル中の前記特定の画像ファイルに対応する日付情報記述場所に空欄の日付情報を書き込む処理、又は、前記注文情報ファイル中の前記特定の画像ファイルに対応する日付情報記述場所から日付情報を削除する処理のいずれかを含む構成とすることができる。
【０００８】
また、本発明の注文端末は、デジタルカメラ又はデジタルカメラ用メディアから、少なくとも画像ファイルを読み取るファイル読み取り手段と、前記画像ファイルを用いて作成される写真プリントに該画像ファイルに対応付けられた日付を書き込むか否かを選択させるための選択画面を表示手段に表示させる表示制御手段と、を少なくとも備える注文端末において、前記画像ファイルに基づく画像から日付を抽出する日付抽出手段を少なくとも備え、前記表示制御手段では、前記日付抽出手段による抽出の結果、前記写真プリントの作成対象となる全ての前記画像ファイルに基づく画像に既に日付が書き込まれている場合には、前記選択画面を前記表示手段に表示させない制御を行うものである。
【０００９】
また、本発明のファイル編集プログラムは、コンピュータを、デジタルカメラ又はデジタルカメラ用メディアから読み取った画像ファイルを用いて作成される写真プリントに、該画像ファイルに対応付けられた日付を書き込むか否かを選択させるための選択画面において、日付を書き込む選択がされた場合であって、前記写真プリントの作成対象となる前記画像ファイルの内、いずれかの画像ファイルの画像上に既に日付が書き込まれている場合に、日付が書き込まれている特定の画像ファイルの所定の記述場所、又は、前記画像ファイルに付帯された注文情報ファイル中の前記特定の画像ファイルに対応する所定の記述場所の少なくとも一方に、前記特定の画像ファイルに基づく画像に日付が書き込まれないようにする処理を行うファイル編集手段、として機能させるものである。
【００１０】
また、本発明の注文処理方法は、デジタルカメラ又はデジタルカメラ用メディアから、少なくとも前記画像ファイルを読み取るステップと、前記画像ファイルに基づく画像から日付を抽出するステップと、前記画像ファイルを用いて作成される写真プリントに該画像ファイルに対応付けられた日付を書き込むか否かを選択させるための選択画面を表示手段に表示させるステップと、前記選択画面において、日付を書き込む選択がされた場合であって、前記日付を抽出するステップによる抽出の結果、前記写真プリントの作成対象となる前記画像ファイルの内、いずれかの画像ファイルの画像上に既に日付が書き込まれている場合に、日付が書き込まれている特定の画像ファイルの所定の記述場所、又は、前記画像ファイルに付帯された注文情報ファイル中の前記特定の画像ファイルに対応する所定の記述場所の少なくとも一方に、前記特定の画像ファイルに基づく画像に日付が書き込まれないようにする処理を行うステップと、を少なくとも有するものである。
【００１１】
また、本発明の注文処理方法は、デジタルカメラ又はデジタルカメラ用メディアから、少なくとも前記画像ファイルを読み取るステップと、前記画像ファイルに基づく画像から日付を抽出するステップと、前記日付を抽出するステップによる抽出の結果、前記写真プリントの作成対象となるいずれかの前記画像ファイルに基づく画像に日付が書き込まれていない場合には、前記画像ファイルを用いて作成される前記写真プリントに該画像ファイルに対応付けられた日付を書き込むか否かを選択させるための選択画面を表示手段に表示させ、前記写真プリントの作成対象となる全ての前記画像ファイルに基づく画像に既に日付が書き込まれている場合には、前記選択画面を前記表示手段に表示させないステップと、を少なくとも有するものである。
【００１２】
本発明においては、前記注文情報ファイルをＤＰＯＦファイルとすることができ、前記画像ファイルをＥＸＩＦ形式のファイルとすることもできる。
【００１３】
このように、本発明の構成によれば、日付が重複して書き込まれるなどの不具合を防止してミスプリントの発生を抑制することができ、また、無駄な操作を省略して写真プリントの注文処理の迅速化を図ることができる。
【発明の効果】
【００１４】
本発明の受付端末及びファイル編集プログラム並びに注文処理方法によれば、下記記載の効果を奏する。
【００１５】
本発明の第１の効果は、日付が重複して書き込まれるなどの不具合を防止し、ミスプリントの発生を抑制することができるということである。
【００１６】
その理由は、本発明の受付端末では、デジタルカメラ又はメディアから読み取った画像ファイルに基づく画像から日付を抽出し、日付有り／無し選択画面で日付有りが選択がされた場合であって、抽出の結果、プリント対象となる画像ファイルの内、いずれかの画像ファイルの画像上に既に日付が書き込まれている場合に、日付が書き込まれている特定の画像ファイルの所定の記述場所又は注文情報ファイル中の特定の画像ファイルに対応する所定の記述場所の少なくとも一方に、該特定の画像ファイルに基づく画像に日付が書き込まれないようにする処理を行ったり、抽出の結果、プリント対象となる全ての画像ファイルの画像上に既に日付が書き込まれている場合に、写真プリントに日付を書き込むか否かを選択させるための日付有り／無し選択画面を表示手段に表示させない制御が行われるからである。
【００１７】
また、本発明の第２の効果は、写真プリントの注文処理の迅速化を図ることができるということである。
【００１８】
その理由は、本発明の受付端末では、抽出の結果、プリント対象となる全ての画像ファイルの画像上に既に日付が書き込まれている場合に、上記日付有り／無し選択画面を表示させないことによって、無駄な操作を省略することができるからである。
【発明を実施するための最良の形態】
【００１９】
本発明の注文端末は、その好ましい一実施の形態において、デジタルカメラやメディアなどから画像ファイルと必要に応じて注文情報ファイルとを読み取るファイル読み取り手段と、画像ファイル又は注文情報ファイルから日付情報を読み取る日付情報読み取り手段と、画像ファイルに基づく画像から、画像処理技術を用いて日付を抽出する日付抽出手段と、日付有り／無し選択画面で日付有りが選択された場合であって、日付抽出手段による抽出の結果、プリント対象となる画像ファイルの内、いずれかの画像ファイルの画像上に既に日付が書き込まれている場合に、日付が書き込まれている特定の画像ファイルの所定の記述場所又は注文情報ファイル中の特定の画像ファイルに対応する所定の記述場所の少なくとも一方に、該特定の画像ファイルに基づく画像に日付が書き込まれないようにする処理を行うファイル編集手段と、日付抽出手段による抽出の結果、プリント対象となる全ての画像ファイルの画像上に既に日付が書き込まれている場合に、日付有り／無し選択画面を表示手段に表示させない制御などを行う表示制御手段と、表示手段及び操作手段と、画像ファイルと注文情報ファイルとをプリント作成装置や記録媒体作成装置などの出力装置に送信するファイル送信手段とを少なくとも備える。これにより、日付が重複して書き込まれるなどの不具合を防止してミスプリントの発生を抑制することができ、また、無駄な操作を省略して写真プリントの注文処理の迅速化を図ることができる。
【実施例】
【００２０】
上記実施形態について詳細に説明すべく、本発明の一実施例に係る受付端末及びファイル編集プログラム並びに注文処理方法について、図１乃至図１４を参照して説明する。図１は、本実施例に係る注文処理システムの構成を模式的に示す図であり、図２及び図３は、受付端末のバリエーションを示す図、図４は、受付端末の機能を示すブロック図である。また、図５及び図６は、本実施例の受付端末及びプリント作成装置並びに記録媒体作成装置を用いた注文処理の手順を示すフローチャート図であり、図７乃至図１０は、受付端末の表示手段に表示される画面構成例を示す図、図１１は画像から日付を抽出する方法を模式的に示す図である。また、図１２及び図１３は、記録媒体におけるデータの記録構造を示す図であり、図１４は、記録媒体の構造を模式的に示す図である。
【００２１】
図１に示すように、本実施例の注文処理システム１は、ミニラボなどに写真店やコンビニエンスストアなどの注文店などに設置され、写真プリントや記録媒体の作成を指示する受付端末２と、写真店や生産店などに設置されるプリント作成装置１１ａや記録媒体作成装置１１ｂなどの出力装置１０とで構成され、これらはＬＡＮやＷＡＮ、ＶＡＮなどの通信ネットワークを介して接続されている。
【００２２】
また、図４に示すように、本実施例の受付端末２は、スマートメディア、コンパクトフラッシュ（登録商標）、メモリースティック、ＳＤメモリーカード、マルチメディアカードなどのデジタルカメラ９用又はカメラ付き携帯電話機９ａ用の記録媒体（以下、メディア８と呼ぶ。）を装填するメディア装填部５や、デジタルカメラ９やカメラ付き携帯電話機９ａ等の撮影機器（以下、デジタルカメラ９として説明する。）を有線又は無線、赤外線等によって接続するための機器接続部６などのファイル読み取り手段１５と、注文情報ファイル又は画像ファイルから画像ファイルに対応付けされた撮影日などの日付情報を読み取る日付情報読み取り手段１６と、画像処理技術を用いて画像ファイルに基づく画像から既に書き込まれている日付を抽出する日付抽出手段１７と、日付有り／無し選択画面で日付有りが選択がされた場合であって、日付抽出手段１７による抽出の結果、プリント対象となる画像ファイルの内、いずれかの画像ファイルの画像上に既に日付が書き込まれている場合に、日付が書き込まれている特定の画像ファイルの所定の記述場所又は注文情報ファイル中の特定の画像ファイルに対応する所定の記述場所の少なくとも一方に、該特定の画像ファイルに基づく画像に日付が書き込まれないようにする処理を行うファイル編集手段１８と、日付抽出手段１７による抽出の結果、プリント対象となる全ての画像ファイルの画像上に既に日付が書き込まれている場合に日付有り／無し選択画面を表示手段３に表示させない制御などを行う表示制御手段１９と、ＬＣＤ、ＣＲＴ等の表示手段３と、ボタン、キーボード、マウス等の操作手段４と、画像ファイルや注文情報ファイルを出力装置１０に送信するファイル送信手段２０などを備え、必要に応じて、注文番号が記録されたレシートを出力するレシートプリンタ７などが接続されている。なお、上記各手段はハードウェアとして構成されていてもよいし、コンピュータを、少なくともファイル編集手段１８として機能させるファイル編集プログラムとして構成し、該ファイル編集プログラムを受付端末２にインストールして実行する構成としてもよい。
【００２３】
また、本実施例のプリント作成装置１１ａには、少なくとも、注文情報ファイルに基づいて任意のサイズ（Ｅ、Ｌ、ＫＧ、Ａ４など）、種別（銀塩プリント、昇華プリントなど）、形態（個別のプリント、インデックスプリント、ジャケットプリントなど）の写真プリント１２の作成を行う印刷手段を備え、記録媒体作成装置１１ｂには、少なくとも、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填する記録媒体装填部１４などの書き込み手段を備えている。なお、図１では、受付端末２とプリント作成装置１１ａと記録媒体作成装置１１ｂとを別々の装置として記載しているが、例えば、図２に示すように、受付端末２と記録媒体作成装置１１ｂの機能を兼ね備えたコンピュータ機器としてもよいし、図３に示すように、受付端末２とプリント作成装置１１ａと記録媒体作成装置１１ｂとが一体となったキオスク（無人端末）などとしてもよい。
【００２４】
次に、上記構成の受付端末２を用いた注文処理の手順について、図５のフローチャート図を参照して説明する。
【００２５】
まず、受付端末２を起動すると、表示手段３に例えば、図７に示すようなメニュー画面２１が表示される。このメニュー画面２１には、画像ファイルから写真プリント１２を作成するのか、画像ファイルを記録した記録媒体１３を作成するのか、又はその双方を作成するのかなどを選択するボタンが表示され、ユーザはその中から所望の作業を選択する。そして、ステップＳ１０１で、メディア装填部５にメディア８を装填、又は機器接続部６にデジタルカメラ９を接続すると、ステップＳ１０２で、ファイル読み取り手段１５は、メディア８やデジタルカメラ９から画像ファイルを読み取る。その際、メディア８やデジタルカメラ９に注文情報ファイル（例えば、ＤＰＯＦファイル）が記録されている場合はその注文情報ファイルも読み取る。
【００２６】
画像ファイルや注文情報ファイルの読み取りが終了すると、表示手段３に、例えば図８に示すような画像選択画面２２が表示される。この画像選択画面２２には、読み取った画像ファイルに基づく縮小画像と、プリント枚数を設定するボタン（＋／−ボタン、”全コマ１枚減らす／増やす”ボタンなど）や画像加工画面に遷移するボタン（トリミングボタン）とが表示され、ステップＳ１０３で、ユーザは操作手段４を操作して写真プリント１２を作成する画像ファイルの選択やプリント枚数などを設定し、ファイル編集手段１８を用いて、注文情報ファイルを編集（又はメディア８やデジタルカメラ９に注文情報ファイルが記録されていない場合は新たに注文情報ファイルを作成）する。また、必要に応じてトリミングボタンを押して図９に示すような画像編集画面２３を表示させ、画像中に既に日付が書き込まれているかなどを確認したり、該画像に対する回転や拡大、位置変更などの加工を施す。
【００２７】
次に、ステップＳ１０４で、日付情報読み取り手段１６は、注文情報ファイルに記述されている情報（ＤＰＯＦ情報）又は画像ファイルのヘッダに記述されている情報（ＥＸＩＦ情報）の少なくとも一方の日付情報記述場所から、画像ファイルに対応付けされた日付情報を読み取る。
【００２８】
そして、ステップＳ１０５で、注文情報ファイル又はプリント対象となる全ての画像ファイルに日付情報が記録されていない場合は、写真プリント１２に日付を書き込むことができないため、ステップＳ１１１にスキップする。また、ステップＳ１０５で、注文情報ファイル又はプリント対象となる少なくとも１つの画像ファイルに日付情報が記録されている場合は、写真プリント１２に日付を書き込むことができるため、写真プリント１２に日付を書き込むか否かの選択を行うことになるが、その際、従来の受付端末２では、写真プリント１２の作成対象となる画像ファイルの画像上に既に日付が書き込まれているか否かに関わらず、日付有り／無しをユーザに選択させていたため、例えば、既に日付が書き込まれている画像ファイルに対して日付の書き込みを選択すると日付が重複して書き込まれるなどの不具合が発生し、また、その場合には日付無ししか選択できないにも関わらず、日付有り／無しの選択画面で操作を行わなければならないという問題があった。
【００２９】
そこで、本実施例では、ステップＳ１０６で、日付抽出手段１７は、プリント対象となる画像ファイルに基づく画像から既に書き込まれている日付を抽出する。この日付の抽出方法は特に限定されず、公知の画像処理技術を利用することができるが、例えば、図１１に示すように、対象となる画像（図１１（ａ）参照）から、画像の右下の領域などの日付が配置される所定の領域を切り取り（図１１（ｂ）参照）、その領域から白又は黒の画素で構成されている部分や濃淡又は色彩が不連続又は急激に変化している部分を抽出し（図１１（ｃ）参照）、その部分の形状と予め記憶されている数字の形状とを比較して数字を特定し、数字の値や桁数、配置から年月日を特定する（図１１（ｄ）参照）ことにより、日付を抽出することができる。
【００３０】
そして、ステップＳ１０７で、プリント対象となる全ての画像ファイルの画像上に既に日付が書き込まれている場合は、後述する日付有り／無し選択画面で日付有りを選択することができないため、表示制御手段１９は、日付有り／無し選択画面を表示手段３に表示させずにステップＳ１１１にスキップする。このように、余分な画面を表示させないことによって写真プリント１２の注文処理の迅速化を図ることができる。
【００３１】
また、ステップＳ１０７で、プリント対象となるいずれかの画像ファイルの画像上に日付が書き込まれていない場合は、ステップＳ１０８で、表示制御手段１９は、例えば、図１０に示すような、写真プリント１２に日付を書き込むか否かを選択するボタンが表示された日付有り／無し選択画面２４を表示手段３に表示させる。
【００３２】
そして、ステップＳ１０９で、ユーザが日付有り／無し選択画面２４で日付無しを選択した場合は、ステップＳ１１１で、ファイル編集手段１８を用いて、画像ファイル又は注文情報ファイルの少なくとも一方の所定の記述場所にその画像ファイルに基づく画像に日付が書き込まれないようにする処理を行うなどして、日付無しに設定する。この日付が書き込まれないようにする処理として、例えば、画像ファイルがＥＸＩＦファイルの場合は、ＥＸＩＦ情報の中のユーザコメント記述場所などに、日付を書き込まない設定であることを示す文字（例えば”日付書き込みなし”）や数字、記号などの情報を書き込む処理や、ＥＸＩＦ情報の中の日付情報記述場所から日付情報を削除する処理などとすることができる。また、注文情報ファイルがＤＰＯＦファイルの場合は、ＤＰＯＦファイルを構成する自動プリントファイル（AUTPRINT.MRK）、UNICODE文字列記述ファイル（UNICODE.MRK）、自動送信ファイル（AUTXFER.MRK）、自動再生ファイル（AUTPLAYn.MRK）の内、自動プリントファイル（AUTPRINT.MRK）の中の日付指定に関する記述場所（CFG DSC="2004.09.22"-ATR DTM）に空欄の日付情報（CFG DSC="    .  .  "、CFG DSC="    /  /  "、CFG DSC="          "など）を書き込む処理や、上記日付指定に関する記述場所から日付情報を削除する処理などとすることもできる。
【００３３】
また、ステップＳ１０９で、ユーザが日付有り／無し選択画面２４で日付有りを選択した場合は、ステップＳ１１０で、ファイル編集手段１８を用いて、注文情報ファイルの日付指定に関する記述場所にＥＸＩＦ情報に記述された日付情報を書き込むなどして、日付有りに設定する。ここで、プリント対象となる全ての画像ファイルの画像上に日付が書き込まれていない場合は日付が重複して書き込まれるという問題は生じないが、日付有りを選択した場合において、プリント対象となるいずれかの画像ファイル（特定の画像ファイル）の画像上に既に日付が書き込まれている場合は、その特定の画像ファイルに関しては日付が重複して書き込まれてしまう。そこで、そのような場合には、ファイル編集手段１８は、上記特定の画像ファイルの所定の記述場所又は注文情報ファイル中の特定の画像ファイルに対応する所定の記述場所の少なくとも一方に対して、上記と同様に、日付を書き込まない設定であることを示す情報や空欄の日付情報を書き込んだり、日付情報を削除するなどの日付が書き込まれないようにする処理を行う。
【００３４】
その後、ステップＳ１１２で、ファイル送信手段２０は、選択された画像ファイルと注文情報ファイルとをネットワークを介してプリント作成装置１１ａや記録媒体作成装置１１ｂなどの出力装置１０に送信すると共に、レシートプリンタ７を用いて注文番号が記録されたレシートを出力し、ユーザに渡して受付端末２の処理を終了する。
【００３５】
一方、プリント作成装置１１ａは、ステップＳ２０１で、受付端末２から送信された画像ファイル及び注文情報ファイルを受信し、ステップＳ２０２で、該注文情報ファイルに基づいて、銀塩プリントや昇華プリントなどの写真プリント１２やインデックスプリント、ジャケットプリントなどを作成する。その際、日付無しに設定されている場合は日付を書き込まずに写真プリント１２が作成され、日付有りに設定されている場合は日付を書き込んで写真プリント１２が作成されるが、日付有り／無し選択画面２４で日付有りが選択されている場合でも、画像上に既に日付が書き込まれている特定の画像ファイルには、所定の記述場所に日付を書き込まない設定であることを示す情報が書き込まれたり、日付情報記述場所から日付情報が削除され、又は、注文情報ファイルには、特定の画像ファイルに対応する日付指定に関する記述場所に空欄の日付情報が書き込まれたり、該記述場所から日付情報が削除されており、プリント作成装置１１ａは、所定の記述場所の記述を参照して上記場合には日付を書き込まない制御を行うため、写真プリント１２に日付が重複して書き込まれることはない。
【００３６】
また、ステップＳ２０３で記録媒体１３の作成を行う場合は、ステップＳ２０４で、記録媒体作成装置１１ｂの記録媒体装填部１４にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填し、ステップＳ２０５で、必要に応じて、記録媒体１３の所定の領域（例えば、論理アドレス領域外）から識別情報を読み取る。なお、論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００３７】
ここで、一般的な記録媒体１３の構造について、図１４を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができるため、上記識別情報として有効である。
【００３８】
そして、ステップＳ２０６で、該識別情報の有無に基づいて装填された記録媒体１３が特定の記録媒体であるかを判断し、特定の記録媒体である場合は、ステップＳ２０７で、必要に応じて、読み取った画像ファイルに基づいて動画データ（例えば、ＭＰＥＧ１形式の動画データ）を生成（エンコード）し、生成された動画データに基づいて、ＤＶＤプレーヤやＤＶＤレコーダ、ＨＤＤレコーダ、ゲーム機などの家電機器で再生可能な形式の家電機器用データ（例えば、Ｖｉｄｅｏ−ＣＤ形式のデータ）を生成（オーサリング）する。また、必要に応じて、画像ファイルのデータサイズを縮小したサムネール画像ファイルやスクリーンネイル画像ファイルなどの縮小画像ファイルを生成する。
【００３９】
そして、ステップＳ２０８で、記録媒体１３に読み取った画像ファイルや生成したデータを記録するが、その際、家電機器ではデータを読み込むことができる記録領域が限定されるため、まず、家電機器用データを記録媒体１３の論理アドレス領域の内周側に書き込む。次に、必要に応じてセッションをクローズした後、読み取った画像ファイルやサムネイル画像ファイルやスクリーンネイル画像ファイルなどの縮小画像ファイル、スライドショープログラムなどのアプリケーション、スライドショーの設定ファイル、注文情報ファイルなど（以下、これらを総称してコンピュータ機器用データと呼ぶ。）を記録媒体１３の先に記録した家電機器用データの外側に書き込む。
【００４０】
上記手順で作成された記録媒体１３のディレクトリ構造は、例えば、図１２に示すようになり、”DCIM”フォルダ内の画像ファイル、”MISC”フォルダ内の注文情報ファイル、”APPL”フォルダ内のスライドショープログラムやスライドショーの設定ファイル、自動起動ファイルなどでコンピュータ機器用データが構成され、”VCD”フォルダ内の画像ファイルをＶｉｄｅｏ−ＣＤ形式として関連付けるファイル、”SEGMENT”フォルダ内のＴＶ画面に表示する画像ファイル、”MPEGAV”フォルダ内の動画データ、”DAT”フォルダ内のＴＶ画面に静止画像ファイルを表示するためのアプリケーションなどで家電機器用データが構成される。なお、画像ファイルのディレクトリ構造は任意であるが、画像ファイルをコンピュータ機器などにバックアップした場合における管理を容易にするために、例えば、図１３に示すように、画像ファイルの格納場所を示すフォルダ（PS_Roll）の下位の階層にメディア８毎、機器毎、フィルム毎の画像ファイルの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像ファイルをCCYYMMDDxxxxxx（CC：画像ファイルの種別、YYMMDD：書き込み年月日を特定する数字、xxxxxx：シーケンシャル番号）などにリネームしてもよい。
【００４１】
その後、ステップＳ２０９で、作成した写真プリント１２や記録媒体１３を写真店や注文店に送付し、レシートなどと引き替えにユーザに引き渡して一連の処理を終了する。
【００４２】
このように、本実施例の受付端末２では、画像処理技術を用いて画像ファイルに基づく画像から日付を抽出し、プリント対象となる画像ファイルの内、画像上に既に日付が書き込まれている特定の画像ファイルの所定の記述場所又は注文情報ファイル中の特定の画像ファイルに対応する所定の記述場所の少なくとも一方に、該特定の画像ファイルに基づく画像に日付が書き込まれないようにする処理を行ったり、写真プリントの作成対象となる全ての画像ファイルの画像上に既に日付が書き込まれている場合に日付有り／無し選択画面２４を表示手段３に表示させない制御が行われるため、日付が重複して書き込まれるなどの不具合を防止してミスプリントの発生を抑制することができると共に、無駄な操作を省いて写真プリントの注文処理の迅速化を図ることができる。
【００４３】
なお、上記実施例では、デジタルカメラ９で取得した画像ファイルを利用する場合を示したが、本発明は上記実施例に限定されるものではなく、カメラ付き携帯電話機９ａで取得した画像ファイルやネガフィルムをスキャナで読み取って得られた画像ファイル、インターネットなどを利用して取得した画像ファイルなどにも同様に適用することができる。
【図面の簡単な説明】
【００４４】
【図１】本発明の一実施例に係る注文処理システムの構成を模式的に示す図である。
【図２】本発明の一実施例に係る受付端末のバリエーションを示す図である。
【図３】本発明の一実施例に係る受付端末のバリエーションを示す図である。
【図４】本発明の一実施例に係る受付端末の機能を示すブロック図である。
【図５】本発明の一実施例に係る受付端末を用いた注文手順を示すフローチャート図である。
【図６】本発明の一実施例に係る出力装置を用いた注文手順を示すフローチャート図である。
【図７】本発明の一実施例に係る受付端末の表示手段に表示される画面構成例（メニュー画面）を示す図である。
【図８】本発明の一実施例に係る受付端末の表示手段に表示される画面構成例（画像選択画面）を示す図である。
【図９】本発明の一実施例に係る受付端末の表示手段に表示される画面構成例（画像編集画面）を示す図である。
【図１０】本発明の一実施例に係る受付端末の表示手段に表示される画面構成例（日付有り／無し選択画面）を示す図である。
【図１１】本発明の一実施例に係る画像から日付を抽出する方法を模式的に示す図である。
【図１２】本発明の一実施例に係る記録媒体のデータ記録構造を示す図である。
【図１３】本発明の一実施例に係る記録媒体のデータ記録構造の他の例を示す図である。
【図１４】記録媒体（ＣＤ−Ｒ）の構造を模式的に示す図である。
【符号の説明】
【００４５】
１  注文処理システム
２  受付端末
３  表示手段
４  操作手段
５  メディア装填部
６  機器接続部
７  レシートプリンタ
８  メディア
９  デジタルカメラ
９ａ  カメラ付き携帯電話機
１０  出力装置
１１ａ  プリント作成装置
１１ｂ  記録媒体作成装置
１２  写真プリント
１３  記録媒体
１４  記録媒体装填部
１５  ファイル読み取り手段
１６  日付情報読み取り手段
１７  日付抽出手段
１８  ファイル編集手段
１９  表示制御手段
２０  ファイル送信手段
２１  メニュー画面
２２  画像選択画面
２３  画像編集画面
２４  日付有り／無し選択画面
１００  ポリカーボネート基板
１０１  有機色素層
１０２  反射層
１０３  保護層
【図１】
2006107163.tif 000003
【図２】
2006107163.tif 000004
【図３】
2006107163.tif 000005
【図４】
2006107163.tif 000006
【図５】
2006107163.tif 000007
【図６】
2006107163.tif 000008
【図７】
2006107163.tif 000009
【図８】
2006107163.tif 000010
【図９】
2006107163.tif 000011
【図１０】
2006107163.tif 000012
【図１１】
2006107163.tif 000013
【図１２】
2006107163.tif 000014
【図１３】
2006107163.tif 000015
【図１４】
2006107163.tif 000016